(57)【要約】【課題】  外観が良く、且つより確実に紙幣識別装置の破壊を防ぐことができる自動販売機を提供する。【解決手段】  自動販売機の正面扉２の内側に紙幣識別装置３を搭載し、正面扉２の前面壁部２ａと紙幣識別装置３との間に、紙幣識別装置３を外部からの破壊行為から保護する補強板部８と、挿入された紙幣を紙幣識別装置３へ導くための一対のガイド９，１０からなるガイドシュート１１とを有する補強部材７を設置する。そして、ガイドシュート１１の一対のガイド９，１０は、工具等の刺し込みによる破壊を防止するよう、互いの間の距離を紙幣識別装置３に近づくほど小さくする。補強板部は、紙幣識別装置の正面および周囲を覆う箱型形状としても良い。【選択図】        図１
2005258707.tif 000002
【特許請求の範囲】
【請求項１】
挿入された紙幣を識別して収納する紙幣識別装置が搭載された自動販売機であって、
前記紙幣識別装置前方の自動販売機壁部と前記紙幣識別装置との間に、前記紙幣識別装置を外部からの破壊行為から保護する補強板部と、挿入される紙幣を該紙幣の表裏両面に沿って前記紙幣識別装置へ導くガイド部とを有する補強部材が設置され、
前記ガイド部が、前記補強板部に対しそれぞれ角度を成すとともに互いに距離を置いて対向配置された一対のガイドにより構成され、それらガイド間の距離が、前記紙幣識別装置に近づくほど小さくなるよう形成されていることを特徴とする自動販売機。
【請求項２】
前記補強板部が、少なくとも前記紙幣識別装置の正面を覆うことができる大きさであることを特徴とする請求項１に記載の自動販売機。
【請求項３】
前記補強板部が、前記紙幣識別装置の正面及び周囲を覆う箱型形状であることを特徴とする請求項１に記載の自動販売機。
【発明の詳細な説明】
【技術分野】
【０００１】
本発明は、自動販売機に関し、特に、正面扉に搭載された紙幣識別装置の外部からの破壊による紙幣の盗難を防止する技術に関する。
【背景技術】
【０００２】
自動販売機の正面扉に、紙幣挿入口が正面扉前面から突き出るように搭載される紙幣識別装置を破壊する行為、特に、紙幣挿入口に工具等を刺し込んで紙幣識別装置を破壊し、紙幣を盗み出すといった行為に対する対策として、紙幣挿入口を構成するシュートを、金属プレート等で形成した機械的強度の高いカバー等で覆い、あるいは内側から補強することによって、工具等の刺し込みによる紙幣挿入口の拡開を阻止するようにしたものが従来から知られている（例えば、特許文献１、特許文献２等参照。）。
【特許文献１】特開２００３−２４２５５３号公報
【特許文献２】特開平９−１３４４６５号公報
【発明の開示】
【発明が解決しようとする課題】
【０００３】
しかしながら、上記従来の技術は、紙幣挿入口が自動販売機の正面扉から突き出るように設置される紙幣識別装置に対するものであり、そのように紙幣挿入口が突き出た形状となる自動販売機は、外観が良くないだけでなく、補強用のカバーの継ぎ目やカバーと正面扉との間等に工具が刺し込まれて抉じ開けられ、紙幣識別装置からカバーが取り外されてしまい、紙幣挿入口が工具等で押し開かれて、紙幣識別装置が破壊されてしまうといった問題があった。
【０００４】
本発明は、上記問題を解決するもので、外観が良く、且つより確実に紙幣識別装置の破壊を防ぐことができる自動販売機を提供することを目的とする。
【課題を解決するための手段】
【０００５】
本発明の自動販売機は、挿入された紙幣を識別して収納する紙幣識別装置が搭載された自動販売機であって、前記紙幣識別装置前方の自動販売機壁部（例えば扉体の前面壁部）と紙幣識別装置との間に、紙幣識別装置に対する外部からの破壊行為から保護する補強板部と、挿入される紙幣を該紙幣の表裏両面に沿って紙幣識別装置へ導くガイド部とを有する補強部材が設置され、前記ガイド部が、前記補強板部に対しそれぞれ角度を成すとともに互いに距離を置いて対向配置された一対のガイドにより構成され、それらガイド間の距離が、紙幣識別装置に近づくほど小さくなるよう形成されていることを特徴とする。
【０００６】
この自動販売機は、自動販売機壁部の内側に搭載し、自動販売機壁部から突き出た形状とはならないようにすることで、外観が良くなるとともに、自動販売機壁部と紙幣識別装置との間に設置された補強部材の補強板部により、外部からの破壊行為から紙幣識別装置を保護することができ、また、紙幣を紙幣識別装置へ導くガイド部が一対のガイドで構成され、そのガイド間の距離が紙幣識別装置に近づくほど小さくなるため、工具等を奥まで刺し込むことが難しくなって、より確実に紙幣識別装置の破壊を防ぐことができる。
【０００７】
ここで、補強板部は、少なくとも前記紙幣識別装置の正面を覆うことができる大きさであるのが良い。
【０００８】
このように補強板部を少なくとも紙幣識別装置の正面を覆う大きさにすることで、紙幣挿入口付近だけでなく、自動販売機前面からの破壊行為に対し紙幣識別装置の正面全体を保護することができる。
【０００９】
また、補強板部は、紙幣識別装置の正面及び周囲を覆う箱型形状であっても良い。
【００１０】
このように補強板部を紙幣識別装置の正面及び周囲を覆う箱形形状とすることで、正面からの破壊行為だけでなく、側面からの破壊行為に対しても紙幣識別装置を保護することができる。
【発明の効果】
【００１１】
以上のとおり、本発明の自動販売機は、紙幣識別装置が扉体の前面に突き出ないため外観が良くなるとともに、扉体の前面壁部と紙幣識別装置との間に設置された補強部材の補強板部により外部からの破壊行為から紙幣識別装置を保護することができ、また、紙幣を紙幣識別装置へ導くガイド部が、奥まで工具等を差し込むことが難しい構造であるため、より確実に紙幣識別装置の破壊を防ぐことができる。
【発明を実施するための最良の形態】
【００１２】
図１および図２は、本発明の実施の形態の第１例を示している。図１は自動販売機の扉体の紙幣識別装置設置部分の側面視縦方向断面図、図２は補強部材の正面図である。
【００１３】
この実施の形態（第１例）の自動販売機の本体を構成する筐体１は、前面が開口し、その開口した筐体１の前面に、開閉可能に正面扉２（扉体）が設けられている。そして、正面扉２の内側に、紙幣識別装置３が搭載されている。
【００１４】
紙幣識別装置３は、本体ケース３ａに、紙幣挿入口４と、スタッカ５を備え、紙幣挿入口４から挿入された紙幣を識別して、スタッカ５に収納するよう構成されている。
【００１５】
正面扉２には、前面壁部２ａに、紙幣識別装置３の紙幣挿入口４の位置に合わせて紙幣挿入用の開口部６が設けられ、また、その開口部６の位置の、前面壁部２ａと紙幣識別装置３との間に、ステンレス鋼等の金属製の補強部材７が設置されている。
【００１６】
補強部材７は、紙幣識別装置３の正面を覆って外部からの破壊行為に対し紙幣識別装置３を保護するよう、正面から見て紙幣識別装置３よりも一回り大きく形成された補強板部８と、開口部６から挿入された紙幣をその表裏両面に沿って紙幣識別装置３の紙幣挿入口４へ導くよう、補強板部８に対しそれぞれ内側へ折れ曲がった形状で角度を成すとともに互いに距離を置いて対向配置された上下一対のガイド９，１０からなるガイドシュート１１（ガイド部）とを有している。そして、そのガイドシュート１１を構成する上下一対のガイド９，１０は、互いの間の距離が、紙幣識別装置３に近づくほど小さくなるよう形成されている。
【００１７】
そして、補強部材７は、補強板部８が正面扉２の前面壁部２ａの内側に溶接により裏張り状態で固定され、上下一対のガイド９，１０の紙幣識別装置３側の端部は、紙幣識別装置３の紙幣挿入口４に入り込んでいる。
【００１８】
この自動販売機は、上記のように紙幣識別装置３が正面扉２の内側に設けられ、紙幣挿入口４が正面扉２から突き出ない構成であるため、紙幣識別装置３の紙幣挿入口４等の周りに工具等が直接刺し込まれる恐れがなくなり、また、補強部材７の補強板部８が、正面扉２の前面壁部２ａの内側に裏張り状態で固定されて、紙幣識別装置３の正面を覆っているため、紙幣識別装置３の正面からドリル等の工具を使って破壊しようとする行為に対しても、正面扉２および紙幣識別装置３の正面全体を効果的に保護できる。また、ガイドシュート１１を構成する上下一対のガイド９，１０の相互の間の距離が、紙幣識別装置３に近づくほど小さくなっていることで、正面扉２の開口部６からバール等の工具を刺し込んで紙幣識別装置３を破壊しようとしても、それら工具等を奥まで差し込むことが難しく、ガイドシュート１１を構成する一対のガイド９，１０も、ステンレス鋼等の金属で、それ自体、工具による破壊は難しいため、より確実に紙幣識別装置の破壊を防ぐことができる。
【００１９】
図３および図４は、本発明の実施の形態の第２例を示している。図３は自動販売機の扉体の紙幣識別装置設置部分の側面視縦方向断面図、図４は補強部材の正面図である。
【００２０】
この実施の形態（第２例）は、紙幣識別装置３を正面からの破壊行為だけでなく、側面からの破壊行為に対しても有効に保護できるよう、正面扉２の前面壁部２ａと紙幣識別装置３との間に設置する補強部材７Ａの補強板部８Ａを、紙幣識別装置３の正面のみならず、上面および底面と両側面に沿う周囲を覆うように、箱型形状としたものである。これにより、ドリル等の工具による正面からの破壊行為だけでなく、側面からの破壊行為に対しても紙幣識別装置３を保護できる。
【００２１】
その他の構成、作用等は、上記実施の形態の第１例と同様である。図には、第１例と共通する部分に同じ符号を付している。
【００２２】
尚、上記実施の形態の説明では、補強部材７を金属製としているが、補強部材の材料は、十分な強度があるものであれば、セラミック等の他の材料を使用しても良い。
【図面の簡単な説明】
【００２３】
【図１】本発明の実施の形態の第１例を示す自動販売機の扉体の紙幣識別装置設置部分の側面視縦方向断面図である。
【図２】本発明の実施の形態の第１例の自動販売機の補強部材の正面図である。
【図３】本発明の実施の形態の第２例を示す自動販売機の扉体の紙幣識別装置設置部分の側面視縦方向断面図である。
【図４】本発明の実施の形態の第２例の自動販売機の補強部材の正面図である。
【符号の説明】
【００２４】
１  筐体
２  正面扉（扉体）
３  紙幣識別装置
４  紙幣挿入口
５  スタッカ
６  開口部
７、７Ａ  補強部材
８、８Ａ  補強板部
９、１０  ガイド
１１  ガイドシュート（ガイド部）
【図１】
2005258707.tif 000003
【図２】
2005258707.tif 000004
【図３】
2005258707.tif 000005
【図４】
2005258707.tif 000006